(57)【要約】  本生体試料測定装置は、本体ケース（１）の裏面側における表示部（５）よりはセンサ装着部（４）よりの位置に本体ケース（１）の短手方向に沿って指当て溝（６）が設けられている。指当て溝（６）に対応する本体ケース（１）の表面側部分には、操作部（７）が設けられている。操作部（７）は、実行キー（７ｂ）と、実行キー（７ｂ）の外周に所定間隔で配置した複数の十字キー（７ｃａ）などを有する。実行キー（７ｂ）は、本体ケース（１）の表面側において、十字キー（７ｃａ）などよりも突出するように設けられている。制御部（１３）は、複数のキーが操作されると、リセット動作を行わせる。
2012056628.tif 000002
【特許請求の範囲】
【請求項１】
本体ケースと、
前記本体ケースの長手方向における第１端側に設けられたデータ読み取り部と、
前記本体ケースの長手方向における前記第１端とは反対側の第２端側に設けられたセンサ装着部と、
前記本体ケースの前記第１端側の表面に設けられた表示部と、
前記本体ケースの裏面側における前記表示部よりも前記センサ装着部側の位置に設けられており、前記本体ケースの短手方向に沿って形成された指当て溝と、
前記指当て溝に対応する前記本体ケースの表面側の位置に設けられており、実行キーと、前記本体ケースの表面において前記実行キーが最も突出するように前記実行キーの外周に所定間隔で配置された複数のキーまたはボタンと、を有する操作部と、
前記操作部に接続されており、前記複数のキーまたはボタンが同時に操作されるとリセット動作を行う制御部と、
を備えている生体試料測定装置。
【請求項２】
前記指当て溝から本体ケースの第１端側の重量よりも、前記指当て溝から本体ケースの第２端側の重量が軽い、
請求項１に記載の生体試料測定装置。
【請求項３】
前記操作部は、前記実行キーの外周に配置された十字キーと、前記十字キーの外周に配置された複数のボタンと、を有している、
請求項１または２に記載の生体試料測定装置。
【請求項４】
前記制御部は、前記センサ装着部にセンサが挿入されたことを示すセンサ挿入信号を受信していないという条件で、前記リセット動作を行う、
請求項１から３のいずれか１項に記載の生体試料測定装置。
【請求項５】
前記制御部は、前記センサ挿入信号を受信している状態で、前記リセット動作が行われると、前記リセット動作を拒否するように制御する、
請求項４に記載の生体試料測定装置。
【請求項６】
本体ケースと、
前記本体ケースの長手方向における第１端側に設けられたデータ読み取り部と、
前記本体ケースの長手方向における前記第１端とは反対側の第２端側に設けられたセンサ装着部と、
前記本体ケースの前記第１端側の表面に設けられた表示部と、
実行キーと、前記実行キーの外周に所定間隔で配置された複数のキーまたはボタンと、を有する操作部と、
前記操作部に接続されており、前記複数のキーまたはボタンが同時に操作されると、前記センサ装着部にセンサが挿入されたことを示すセンサ挿入信号を受信していないという条件でリセット動作を行う制御部と、
を備えた生体試料測定装置。
【発明の詳細な説明】
【技術分野】
【０００１】
本発明は、例えば、血糖値や乳酸値などの生体試料を測定する生体試料測定装置に関するものである。
【背景技術】
【０００２】
従来の生体試料測定装置は、以下のような構成を備えていた。
すなわち、従来の生体試料測定装置は、本体ケースと、本体ケースの長手方向における第１端側に設けられたデータ読み取り部およびセンサ装着部と、本体ケースの長手方向における第１端側寄りの表面に設けられた表示部と、を備えていた（例えば、特許文献１参照）。【０００３】
以上の構成において、従来の生体試料測定装置を使用する際には、まず本体ケースの第２端側を握って、データ読み取り部で測定者のＩＤデータ、患者のＩＤデータ、センサのＩＤデータを読み取っていた。次に、センサをセンサ装着部に装着し、その後、患者の指を穿刺した後、指の穿刺部にセンサを当接させることで、血液をセンサに供給し、これにより、例えば、血糖値を測定していた。
【先行技術文献】
【特許文献】
【０００４】
【特許文献１】特表２００２−５２１６９２号公報
【発明の概要】
【０００５】
上記従来の生体試料測定装置は、使い勝手が悪いという課題を有していた。
すなわち、上記従来の生体試料測定装置では、プログラムが動作不良を発生させた時に正常状態に戻すために行うリセット動作は、本体ケースの裏面に設けられた小さなリセット孔に、ピンを差し込むことで行っていた。しかし、この作業は小さなリセット孔に対する操作であるため、煩雑な作業となっていた。
そこで、本発明は、誤ってリセット動作が実行されてしまうことを防止しつつ、簡単な操作によってリセット動作を実行することが可能な使い勝手のよい生体試料測定装置を提供することを目的とするものである。
【０００６】
そしてこの目的を達成するために、本発明は、本体ケースと、データ読み取り部と、センサ装着部と、表示部と、指当て溝と、操作部と、制御部と、を備えている。データ読み取り部は、本体ケースの長手方向における第１端側に設けられている。センサ装着部は、本体ケースの長手方向における第１端とは反対側の第２端側に設けられている。表示部は、本体ケースの第１端側の表面に設けられている。指当て溝は、本体ケースの裏面側における表示部よりもセンサ装着部側の位置に設けられており、本体ケースの短手方向に沿って形成されている。操作部は、指当て溝に対応する本体ケースの表面側の位置に設けられており、実行キーと、本体ケースの表面において実行キーが最も突出するように実行キーの外周に所定間隔で配置された複数のキーまたはボタンと、を有する。制御部は、操作部に接続されており、複数のキーまたはボタンが同時に操作されるとリセット動作を行わせる。
【０００７】
（発明の効果）
本発明によれば、本体ケースの表面側において最も突出する実行キーではなく、その外周に存在する複数のキーまたはボタンを同時に操作することによりリセット動作が行われる。このため、誤ってリセット動作が行われることを防止しつつ、簡単な操作によってリセット動作を実行することが可能な使い勝手の良い生体試料測定装置を提供することができる。
【図面の簡単な説明】
【０００８】
【図１】本発明の一実施形態に係る生体試料測定装置の構成を示す斜視図。
【図２】図１の生体試料測定装置の表面側の斜視図。
【図３】図１の生体試料測定装置の上面図。
【図４】図１の生体試料測定装置の側面図。
【図５】図１の生体試料測定装置の裏面側の斜視図。
【図６】図１の生体試料測定装置の電気的制御ブロック図。
【図７】図１の生体試料測定装置の動作フローチャート。
【図８】図１の生体試料測定装置の使用状態を示す斜視図。
【図９】図１の生体試料測定装置の使用状態を示す斜視図。
【図１０】図１の生体試料測定装置の使用状態を示す斜視図。
【図１１】図１の生体試料測定装置の使用状態を示す斜視図。
【図１２】図１の生体試料測定装置の使用状態を示す斜視図。
【図１３】図１の生体試料測定装置の使用状態を示す斜視図。
【図１４】図１の生体試料測定装置の構成を示す斜視図。
【図１５】図１４の生体試料測定装置の動作説明図。
【図１６】図１の生体試料測定装置の操作部付近の構成を示す平面図。
【図１７】図１６の生体試料測定装置の正面図。
【図１８】図１６の生体試料測定装置の平面図。
【図１９】図１６の生体試料測定装置の電気的ブロック図。
【図２０】本発明の他の実施形態に係る生体試料測定装置の電気的制御ブロック図。
【発明を実施するための形態】
【０００９】
以下、本発明の一実施形態として、血糖値を測定する生体試料測定装置について、図面を用いて説明する。
本実施形態の生体試料測定装置は、図１に示すように、本体ケース１を備えている。そして、本体ケース１は、上面が開口したクレードル２上に着脱可能な状態で装着されている。
【００１０】
本体ケース１は、図２から図５に示すように、横（幅）方向が短手方向、縦方向が長手方向となっている。また、本体ケース１の第１端側には、例えば、バーコードリーダ等のデータ読み取り部３が設けられている。さらに、本体ケース１における第１端とは反対側の第２端側には、センサ装着部４が設けられている。
本体ケース１の第１端側の表面には、図２、図３に示すように、長手方向に縦長の長方形の表示部５が設けられている。さらに、本体ケース１の裏面側における表示部５よりもセンサ装着部４寄りの位置には、図４、図５に示すように、本体ケース１の短手方向に沿って、本体ケース１側に向けて窪んだ指当て溝６が設けられている。
【００１１】
本実施形態の生体試料測定装置では、指当て溝６から本体ケース１の第１端側（表示部５側）の重量よりも、指当て溝６から本体ケース１の第２端側（センサ装着部４側）の重量が軽くなるように設計されている。
本体ケース１の表面側における指当て溝６に対応する部分には、図２、図３に示すように、操作部７が配置されている。また、本体ケース１の表面側における操作部７とセンサ装着部４との間には、センサ８（図１３参照）をセンサ装着部４外に排出するためのセンサ排出レバー９が配置されている。
【００１２】
また、図４、図５に示すように、本体ケース１の裏面側における本体ケース１の指当て溝６とデータ読み取り部３との間には、電池蓋１０が配置されている。電池蓋１０とデータ読み取り部３の間には、滑り止め用のゴム脚１１が配置されている。さらに、指当て溝６とセンサ装着部４の間にも、滑り止め用のゴム脚１２が配置されている。
以上の構成において、本実施形態の生体試料測定装置では、図４に示すように、装置の重心位置１Ａが、測定者に把持される指当て溝６よりもデータ読み取り部３寄りの位置に設定されている。
また、図３に示すように、本体ケース１の横幅は、表示部５部分が最も大きい。そして、表示部５からセンサ装着部４側に向けて、徐々に小さくなる。つまり、センサ装着部４側の横幅が、最も小さくなるように設計されている。
【００１３】
図６は、生体試料測定装置の電気的制御ブロック図を示している。
本実施形態の生体試料測定装置では、よく知られているように、制御部１３にクレードル２との接続端子２ａ、データ読み取り部３、センサ装着部４、表示部５が接続されている。センサ装着部４と制御部１３とは、測定部１４を介して接続されている。
なお、図６に示すように、電池蓋１０の内面側の本体ケース１内には、電池１５が配置されている。また、本体ケース１内には、血糖値などを記録する記録部１６が配置されている。
【００１４】
ここで、本実施形態の生体試料測定装置を用いて、例えば、病院で患者の血糖値を測定する手順を、図７から図１４を用いて説明する。
本実施形態の生体試料測定装置では、図７のフローチャートに示すように、まず、操作部７を操作することで、表示部５に検体測定時起動画面を表示させる（Ｓ１）。
次に、図８に示すように、測定者（看護師）の名札１７にバーコードで表示されたＩＤデータ１８を、データ読み取り部３によって読み取らせる（Ｓ２）。そして、ＩＤデータ１８は、記録部１６に記録される。
【００１５】
次に、図９に示すように、患者の手にはめたリストバンド１９にバーコードで表示されたＩＤデータ２０を、データ読み取り部３によって読み取らせる（Ｓ３）。そして、ＩＤデータ２０は、記録部１６に記録される。
次に、図１０に示すように、測定者（看護師）は、センサ８（図１３参照）を複数枚収納したセンサボトル２１にバーコードで表示されたＩＤデータ２２を、データ読み取り部３によって読み取らせる（Ｓ４）。そして、ＩＤデータ２２は、記録部１６に記録される。
【００１６】
ここで、図８から図１０に示すＩＤデータ１８，２０，２２を読み取る時には、図１１および図１２に示すように、測定者（看護師）は、その中指２３を指当て溝６内に入れ、本体ケース１のセンサ装着部４側を握った状態で、操作部７の操作を行なう。
上述のように、本体ケース１の重心位置１Ａは、図４に示すように、指当て溝６よりもデータ読み取り部３寄りの位置にある。このため、図８から図１０に示す操作時には、測定者（看護師）の手に若干の負荷がかかることになる。
【００１７】
本実施形態の生体試料測定装置では、測定者（看護師）の中指２３を指当て溝６内に入れた状態で、本体ケース１のセンサ装着部４側を握り、この状態で操作部７を操作する。よって、図８から図１２に示す操作も、測定者（看護師）にとって著しく大きな負荷とはならず、十分な操作性を確保することができる。
以上の操作が完了すると、測定者（看護師）は、操作部７を操作することで、記録部１６から読み出したＩＤデータ１８，２０，２２を表示部５に表示させ、これまでの操作が適切に行われているか否かの確認を行う（Ｓ５）。
【００１８】
次に、測定者（看護師）は、センサボトル２１からセンサ８（図１３参照）を１枚取り出して、図１３に示すように、センサ装着部４に装着する。具体的には、センサ８の第１端側に設けた電極側の部分が、センサ装着部４内に挿入される（Ｓ６）。
なお、センサ装着部４へのセンサ８の挿入、その後の作業についても、図１３に示すように、本体ケース１の第１端側（つまり、表示部５側）を把持した状態で行われる。
【００１９】
具体的には、例えば、図１３に示すように、測定者（看護師）は、本体ケース１の第１端側における裏面側を手のひらに載せ、中指２３を指当て溝６内に入れた状態で作業が行われる。
ここで、図１３は、例えば、患者の人差し指２４の穿刺部２５の血液２６を採取して、患者の血糖値を測定しようとしている場面を示している。この血糖値測定に先立ち、測定者（看護師）は、患者の人差し指２４の穿刺部２５に対して、穿刺動作を行う。これにより、人差し指２４の穿刺部２５から血液２６を流出させる。
【００２０】
この状態になると、測定者（看護師）は、図１３のように、センサ８の先端部分（第２端側）に血液２６を点着させる（Ｓ７）。
ここで注意すべきは、穿刺部２５の血液２６をすくうようにセンサ８を操作してしまったり、穿刺部２５の血液２６に押し付けるようにセンサ８を操作してしまったりしないことが重要である。つまり、ここでは、センサ８に血液２６を点着し、センサ８の毛細管現象によって、血液２６がセンサ８内に吸引されるようにすることが重要である。
【００２１】
本実施形態では、穿刺部２５の血液２６に対してセンサ８を当接させる微妙な操作を簡単に行えるように、上述したような構成を採用している。
すなわち、本実施形態においては、本体ケース１の第２端側に、センサ装着部４が設けられている。そして、本体ケース１の裏面側における表示部５よりもセンサ装着部４寄りの位置に、本体ケース１の短手向に沿って形成された指当て溝６が設けられている。さらに、指当て溝６から本体ケース１の第１端側の重量よりも、指当て溝６から本体ケース１の第２端側の重量が軽くなるように設計されている。
【００２２】
これにより、センサ装着部４に装着されたセンサに、患者の穿刺部２５から滲出した血液２６を点着する作業は、重量の重い本体ケース１の第１端側を保持した状態で、重量の軽い本体ケース１の第２端側を患者の穿刺部２５に接近させて行う作業となる。
従って、センサ８を患者の穿刺部２５に当接させる微妙な作業を容易に行うことができる。このような効果は、例えば、病院などのように、多くの患者から短時間で適切に生体試料を測定する必要のある部署においては、きわめて重要である。
【００２３】
このようにして、センサ８に血液２６が点着されると、測定部１４において測定が開始され（Ｓ８）、約１０秒後には、その測定結果が表示部５に表示される（Ｓ９）。
なお、この測定結果は、上述したＩＤデータ１８，２０，２２に関連付けて、記録部１６に記録される。
次に、測定者（看護師）は、センサ排出レバー９を、図１３の左側（本体ケース１の第２端側の外方）に操作し、センサ装着部４からセンサ８を本体ケース１外に取り外し、廃棄する（Ｓ１０）。
【００２４】
次に、測定者（看護師）は、操作部７を操作することで、記録部１６に記録したＩＤデータ１８，２０，２２と測定データを表示部５に一覧表示させる（Ｓ１１）。これにより、血糖値の測定が完了する（Ｓ１２）。
その後、本体ケース１を、図１に示すように、クレードル２に装着すると、図５に示した本体ケース１の裏面に設けられた通信窓２７を介して、上述したＩＤデータ１８，２０，２２と測定データとがクレードル２に転送される（Ｓ１３）。
【００２５】
次に、この転送されたＩＤデータ１８，２０，２２と測定データとは、クレードル２から病院内のホストコンピュータに転送される（Ｓ１４）。
図１４、図１５は、データ読み取り部３の操作について説明したものである。
つまり、データ読み取り部３は、上述のように、図７から図１４に示す測定動作時に活用される。
【００２６】
再度この点を説明すると、例えば、病院で患者の血糖値を測定する時は、まず、操作部７が操作されて、表示部５に検体測定時起動画面が表示される（Ｓ１）。
具体的には、操作部７を構成する電源ボタン７ａを操作すると、図１５（ａ）に示す画面が表示される。図１５（ａ）においては、上段に測定者ＩＤを入力する画面である表示５ａが表示され、その下方に入力をバーコードリーダで読み取る表示５ｂ、直接入力により入力する表示５ｃ、入力しない表示５ｄが表出されている。
【００２７】
電源ボタン７ａを操作した時には、このうちの表示５ｂが選択された状態となっている。
従って、測定者（看護師）は、操作部７を構成する実行キー７ｂを押下することで、バーコードリーダによって測定者ＩＤが入力される。
具体的には、バーコードリーダはデータ読み取り部３を構成するものであるので、次に、図８に示すように、測定者（看護師）の名札１７にバーコードで表示されたＩＤデータ１８を、データ読み取り部３によって読み取る（Ｓ２）。読み取られた測定者（看護師）のＩＤデータ１８は、図１５（ｂ）に示すように、表示部５にＩＤデータ５ｅとして表示される。ＩＤデータ５ｅを確認した後、測定者（看護師）は、操作部７を構成する十字キー７ｃによって、測定者（看護師）ＩＤ入力を完了する表示５ｆを選択し、その後、実行キー７ｂを押下すると、ＩＤデータ１８は記録部１６に記録される。
なお、図１５（ｂ）の表示５ｇは、ＩＤデータ１８の読み直しを指示するためのものである。
【００２８】
次に、図９に示すように、測定者（看護師）は、患者の手にはめたリストバンド１９にバーコードで表示されたＩＤデータ２０を、データ読み取り部３によって読み取る（Ｓ３）。
ここで、図１５（ｂ）において、完了を示す表示５ｆを選択すれば、図１５（ｃ）に示すように、バーコード読取りを示す表示５ｂが選択されている。よって、この時も、再度、実行キー７ｂを押下することで、バーコードリーダによって患者ＩＤが入力される。
【００２９】
なお、図１５（ｃ）に示すように、患者ＩＤを入力する画面である表示５ｈは、最も上段に表示される。
読み取られた患者のＩＤデータ２０は、図１５（ｄ）に示すように、表示部５にＩＤデータ５ｉとして表示される。測定者（看護師）は、ＩＤデータ５ｉを確認した後、操作部７を構成する十字キー７ｃによって、患者ＩＤ入力を完了する表示５ｆを選択した後、実行キー７ｂを押下する。これにより、ＩＤデータ２０は、記録部１６に記録される。
【００３０】
次に、図１０に示すように、測定者（看護師）は、センサ８（図１３参照）を複数枚収納したセンサボトル２１にバーコードで表示されたＩＤデータ２２を、データ読み取り部３によって読み取る（Ｓ４）。このとき、図１５（ｄ）において、完了を示す表示５ｆを選択すれば、図１５（ｅ）において、バーコード読取りを示す表示５ｂが選択されている。よって、この場合も、再度、実行キー７ｂを押下することで、バーコードリーダによってセンサボトル２１のＩＤデータ２２が入力される。
なお、図１５（ｅ）において、センサボトル２１のＩＤデータ２２を入力する画面である表示５ｋは、最も上段に表示されている。
【００３１】
さて、読み取られたセンサボトル２１のＩＤデータ２２は、図１５（ｆ）に示すように、表示部５にＩＤデータ５ｊとして表示される。測定者（看護師）は、ＩＤデータ５ｊを確認した後、操作部７を構成する十字キー７ｃによって、センサボトル２１のＩＤデータ２２の入力を完了する表示５ｆを選択し、実行キー７ｂを押下する。これにより、記録部１６にＩＤデータ２２が記録される。
【００３２】
以上のように、本実施形態の生体試料測定装置では、測定者（看護師）のＩＤデータ１８、患者のＩＤデータ２０、センサボトル２１のＩＤデータ２２を、バーコードリーダ（データ読み取り部３）によって簡単に読み取ることができる。しかも、これらの操作は、表示部５に表示された内容を指当て溝６の直上に位置する実行キー７ｂを操作するだけで行うことができるため、きわめて簡単かつ安定感を持って操作することができる。
【００３３】
図１６から図１９は、本実施形態の生体試料測定装置における強制リセットの動作について説明したものである。
すなわち、本実施形態の生体試料測定装置には、リセット機能が付加されている。
具体的には、図１６に示すように、十字キー７ｃは、電源ボタン７ａ側から順に、十字キー７ｃａ、十字キー７ｃｂ、十字キー７ｃｃ、十字キー７ｃｄを有している。
【００３４】
ここで、電源ボタン７ａと対向側には、メニューボタン７ｄが設けられている。以下、これらの各部品の相対位置関係などについて説明する。
まず、実行キー７ｂは、図１６に示すように、生体試料測定装置のほぼ中央部分に配置されている。そして、その周りには、９０度の等間隔で十字キー７ｃａ、十字キー７ｃｂ、十字キー７ｃｃ、十字キー７ｃｄが配置されている。
【００３５】
なお、十字キー７ｃａと十字キー７ｃｃとは、実行キー７ｂを中心として互いに対向する位置に配置されている。同様に、十字キー７ｃｂと十字キー７ｃｄとは、実行キー７ｂを中心として互いに対向する位置に配置されている。さらに、電源ボタン７ａとメニューボタン７ｄとは、十字キー７ｃｄを中心として互いに対向した位置に配置されている。
ここで、上述した電源ボタン７ａ、実行キー７ｂ、十字キー７ｃａ、十字キー７ｃｂ、十字キー７ｃｃ、十字キー７ｃｄ、メニューボタン７ｄの中で、実行キー７ｂが、図１７に示すように、本体ケース１の表面から最も突出した状態となっている。
【００３６】
本実施形態の生体試料測定装置では、以上の構成および配置において、図１９に示すように、電気的接続状態を構成している。
つまり、十字キー７ｃａ、十字キー７ｃｂ、メニューボタン７ｄは、アンド回路２８に並列的に接続されている。また、実行キー７ｂは、入力反転回路２９を介してアンド回路２８に接続されている。つまり、十字キー７ｃａ、十字キー７ｃｂ、メニューボタン７ｄが、同時に押された時には、アンド回路２８から制御部１３にリセット信号が出力される。
【００３７】
なお、制御部１３にリセット信号が入力された場合には、Ｓ１で示した初期起動画面に強制的に戻される。
ここで、このようなリセット動作は、プログラムが動作不良を発生させた時に、正常状態に戻すために行う動作である。従来の生体試料測定装置では、本体ケースの裏面に設けた小さなリセット孔に、ピンを差し込むことで行っていたが、この作業は小さなリセット孔に対する操作であったので、測定者にとって煩雑な作業となっていた。
【００３８】
そこで、本実施形態の生体試料測定装置では、図１８に示すように、リセット動作を行う時には、例えば、左手で本体ケース１を支え、この状態で右手も使って簡単にリセット動作を行うことができる。
具体的には、左手の人差し指が、指当て溝６内に装着された状態で、左手の親指でメニューボタン７ｄを押し、右手の人差し指で十字キー７ｃｂ、中指で十字キー７ｃａを押下することで、リセット動作が行われる。
【００３９】
また、このように作業性の良いものである反面、不用意なリセット動作が行われないようにするために、本実施形態の生体試料測定装置では、十字キー７ｃａ、十字キー７ｃｂ、メニューボタン７ｄを、実行キー７ｂの外周に配置するとともに、リセット動作には関係しない実行キー７ｂを、十字キー７ｃａ、十字キー７ｃｂ、メニューボタン７ｄよりも本体ケース１の表面から突出させている。
【００４０】
このため、無意識かつ不用意に、十字キー７ｃａ、十字キー７ｃｂ、メニューボタン７ｄが押下された場合には、最も突出している実行キー７ｂも必ず押下されることになる。よって、その時には、図１９に示す、入力反転回路２９を介して、アンド回路２８に反転入力が入力される。その結果、制御部１３には、リセット信号は入力されない。
よって、本実施形態の生体試料測定装置では、リセット動作を容易に行うことができ、かつ不用意なリセット動作も回避することができる。よって、信頼性の高い生体試料測定装置を提供することができる。
【００４１】
なお、本実施形態の生体試料測定装置では、上述のように、リセット動作時に、３つの十字キー７ｃａ、十字キー７ｃｂ、メニューボタン７ｄを操作する構成としたが、他の十字キー、例えば、十字キー７ｃｃをさらに押すことで、リセット動作が行なわれるようにしてもよい。
ここで重要なことは、リセット動作は、片手で本体ケース１を保持し、そのとき、例えば、人差し指を指当て溝６内に当てて安定した状態で、両手で操作を行うこと、しかも操作する操作箇所は、本体ケース１の表面から最も突出した実行キー７ｂを挟んで両側に存在することである。
これにより、測定者（看護師）が意図的にリセット動作を実行しない限り、例えば、本体ケース１の表面にモノが載せられた場合等において、誤ってリセット動作されることを回避することができる。
【００４２】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、制御部１３に対して、アンド回路２８を介して十字キー７ｃａ、十字キー７ｃｂ、メニューボタン７ｄ、実行キー７ｂが接続されており、十字キー７ｃａ、十字キー７ｃｂ、メニューボタン７ｄが同時に押下された場合にリセット動作を行なうとともに、上記キー等に加えて実行キー７ｂが押下されるとアンド回路２８に反転入力が送られてリセット動作を実行しないように制御を行なう例を挙げて説明した。しかし、本発明はこれに限定されるものではない。
【００４３】
例えば、図２０に示すように、リセット回路に、センサ装着部４から送られるセンサ挿入信号を入力するような構成であってもよい。
この場合には、センサ装着部４にセンサ８が装着されている状態で、上記リセット動作が行なわれると、入力反転回路１２９からアンド回路２８に対して反転入力が送られる。
【００４４】
これにより、センサ８がセンサ装着部４に装着された状態でリセット動作が実行されることを回避することができる。よって、センサ挿入信号を受信していないという条件、つまりセンサ未装着状態でのみ、リセット動作を可能とすることができる。このため、測定中等のようにセンサ８がセンサ装着部４に装着された状態でリセット動作が実行された結果、測定結果が破壊されてしまうことを確実に防止することができる。
つまり、通常、血糖値等の測定が完了した際に測定結果がメモリ等に保存されるため、センサ装着状態におけるリセット動作を禁止することで、確実に測定結果等のデータ破壊を防止することができる。
【産業上の利用可能性】
【００４５】
以上のように本発明は、誤ってリセット動作が行われることを防止することができ、使い勝手の良い生体試料測定装置を提供することができるという効果を奏することから、血糖値や乳酸値などの生体試料を測定する生体試料測定装置としての活用が期待される。
【符号の説明】
【００４６】
１      本体ケース
１Ａ    重心位置
２      クレードル
２Ａ    接続端子
３      データ読み取り部
４      センサ装着部
５      表示部
５ａ,５ｂ,５ｃ,５ｄ,５ｆ,５ｇ,５ｈ,５ｋ  表示
５ｅ,５ｉ,５ｊ  ＩＤデータ
６      指当て溝
７      操作部
７ａ    電源ボタン
７ｂ    実行キー
７ｃ    十字キー
７ｃａ,７ｃｂ,７ｃｃ,７ｃｄ  十字キー
７ｄ    メニューボタン
８      センサ
９      センサ排出レバー
１０      電池蓋
１１      ゴム脚
１２      ゴム脚
１３      制御部
１４      測定部
１５      電池
１６      記録部
１７      名札
１８      ＩＤデータ
１９      リストバンド
２０      ＩＤデータ
２１      センサボトル
２２      ＩＤデータ
２３      中指
２４      人差し指
２５      穿刺部
２６      血液
２７      通信窓
２８      アンド回路
２９      入力反転回路
１２９    入力反転回路
【図１】
2012056628.tif 000003
【図２】
2012056628.tif 000004
【図３】
2012056628.tif 000005
【図４】
2012056628.tif 000006
【図５】
2012056628.tif 000007
【図６】
2012056628.tif 000008
【図７】
2012056628.tif 000009
【図８】
2012056628.tif 000010
【図９】
2012056628.tif 000011
【図１０】
2012056628.tif 000012
【図１１】
2012056628.tif 000013
【図１２】
2012056628.tif 000014
【図１３】
2012056628.tif 000015
【図１４】
2012056628.tif 000016
【図１５】
2012056628.tif 000017
【図１６】
2012056628.tif 000018
【図１７】
2012056628.tif 000019
【図１８】
2012056628.tif 000020
【図１９】
2012056628.tif 000021
【図２０】
2012056628.tif 000022
【国際調査報告】
2012056628.tif 000023
2012056628.tif 000024
2012056628.tif 000025
2012056628.tif 000026